【手続補正書】
【提出日】平成16年5月27日(2004.5.27)
【手続補正１】
【補正対象書類名】特許請求の範囲
【補正対象項目名】全文
【補正方法】変更
【補正の内容】
【特許請求の範囲】
【請求項１】
符号分割多元接続を使用する無線時分割複信システムにおいて、特定のユーザ機器である特定のＵＥに干渉する可能性のあるＵＥを判定する方法であって、
前記特定のＵＥの動作領域内にはない、前記特定のＵＥの動作領域に地理的に近い動作領域内にある複数の近隣ＵＥのそれぞれについて、アップリンク通信に使用されるタイムスロットを識別すること、
前記特定のＵＥにおいて、前記識別されたタイムスロットのそれぞれにおける干渉レベルを測定すること、
前記測定された干渉レベルを使用して前記識別されたタイムスロットを分類すること、および、
前記各近隣ＵＥについて前記識別されたタイムスロットおよび前記タイムスロットの分類を使用して、非干渉ＵＥおよび干渉ＵＥを判定すること
を含むことを特徴とする方法。
【請求項２】
前記分類することは、小さい干渉のカテゴリと大きい干渉のカテゴリへの分類であることを特徴とする請求項１に記載の方法。
【請求項３】
前記非干渉ＵＥおよび干渉ＵＥを判定することは、前記小さい干渉のカテゴリのタイムスロットを非干渉として使用して前記近隣ＵＥを判定することを含むことを特徴とする請求項２に記載の方法。
【請求項４】
非干渉であるとみなされない他の前記近隣ＵＥは干渉ＵＥであるとみなされることを特徴とする請求項３に記載の方法。
【請求項５】
前記動作領域はセルであることを特徴とする請求項１に記載の方法。
【請求項６】
前記動作領域はセルのセクタであることを特徴とする請求項１に記載の方法。
【請求項７】
前記近隣ＵＥは、前記特定のＵＥの動作領域に隣接する動作領域のＵＥであることを特徴とする請求項１に記載の方法。
【請求項８】
前記分類することは、識別された各タイムスロットの干渉レベルを閾値と比較することによって実施されることを特徴とする請求項１に記載の方法。
【請求項９】
符号分割多元接続を使用する無線時分割複信システムにおいて、特定のユーザ機器であるＵＥにアップリンクタイムスロットを割り当てる方法であって、
前記特定のＵＥの動作領域内にはない、前記特定のＵＥの動作領域に地理的に近い動作領域内にある複数の近隣ＵＥのそれぞれについて、アップリンク通信に使用されるタイムスロットを識別すること、
前記特定のＵＥにおいて、前記識別されたタイムスロットのそれぞれにおける干渉レベルを測定すること、
前記測定された干渉レベルを使用して前記識別されたタイムスロットを分類すること、
前記各近隣ＵＥについて前記識別されたタイムスロットおよび前記タイムスロットの分類を使用して、非干渉ＵＥおよび干渉ＵＥを判定すること、
干渉ＵＥによって使用されるダウンリンクタイムスロットを可能なアップリンク割り当てから消去すること、および、
前記特定のＵＥに前記消去された可能なアップリンクタイムスロットを除くアップリンクタイムスロットを割り当てること
を含むことを特徴とする方法。
【請求項１０】
前記特定のＵＥの基地局はさらに、各タイムスロットの干渉レベルを測定すること、および、前記測定された干渉レベルが閾値を上回るタイムスロットをアップリンク割り当てから消去することを含むことを特徴とする請求項９に記載の方法。
【請求項１１】
前記特定のＵＥはさらに、各タイムスロットでの干渉レベルを測定すること、および、ダウンリンク通信用に前記特定のＵＥに割り当てられるタイムスロットのうち前記測定された干渉レベルが閾値を上回るものを消去することを含むことを特徴とする請求項９に記載の方法。
【請求項１２】
前記動作領域はセルであることを特徴とする請求項９に記載の方法。
【請求項１３】
前記動作領域はセルのセクタであることを特徴とする請求項９に記載の方法。
【請求項１４】
符号分割多元接続を使用する無線時分割複信システムであって、
特定のユーザ機器である特定のＵＥの動作領域内にある、前記特定のＵＥの動作領域に地理的に近い動作領域内にある複数の近隣ＵＥのそれぞれについてアップリンク通信に使用されるタイムスロットを識別し、前記特定のＵＥによって測定された測定干渉レベルを使用して前記識別された前記タイムスロットを分類し、および、前記各近隣ＵＥについて識別されたタイムスロットおよび前記タイムスロットの分類を使用して非干渉ＵＥおよび干渉ＵＥを判定する無線ネットワーク制御装置を含むことを特徴とするシステム。
【請求項１５】
前記識別されたタイムスロットの干渉レベルを前記測定された干渉レベルとして測定する前記特定のＵＥをさらに含むことを特徴とする請求項１４に記載のシステム。
【請求項１６】
前記分類することは、小さい干渉のカテゴリと大きい干渉のカテゴリへの分類であることを特徴とする請求項１４に記載のシステム。
【請求項１７】
前記非干渉ＵＥおよび干渉ＵＥを判定することは、前記小さい干渉のカテゴリのタイムスロットを非干渉として使用して前記近隣ＵＥを判定することを含むことを特徴とする請求項１６に記載のシステム。
【請求項１８】
非干渉であるとみなされない他の前記近隣ＵＥは干渉ＵＥであるとみなされることを特徴とする請求項１７に記載のシステム。
【請求項１９】
前記動作領域はセルであることを特徴とする請求項１４に記載のシステム。
【請求項２０】
前記動作領域はセルのセクタであることを特徴とする請求項１４に記載のシステム。
【請求項２１】
前記近接ＵＥは前記特定のＵＥの動作領域に隣接する動作領域のＵＥであることを特徴とする請求項１４に記載のシステム。
【請求項２２】
前記分類することは、識別された各タイムスロットの干渉レベルを閾値と比較することによって実施されることを特徴とする請求項１４に記載のシステム。
【請求項２３】
前記無線ネットワーク制御装置は、前記干渉ＵＥによって使用されるダウンリンクタイムスロットを可能な割り当てから消去し、および、前記特定のＵＥに前記消去されたタイムスロットを除くアップリンクタイムスロットを割り当てることを特徴とする請求項１４に記載のシステム。
【請求項２４】
前記特定のＵＥはさらに、各タイムスロットでの干渉レベルを測定すること、および、ダウンリンク通信用に前記特定のＵＥに割り当てられるタイムスロットのうち前記測定された干渉レベルが閾値を上回るものを消去することを含むことを特徴とする請求項２３に記載のシステム。
【請求項２５】
符号分割多元接続を使用する無線時分割複信システムで使用するための無線ネットワーク制御装置（ＲＮＣ）であって、
特定のユーザ機器である特定のＵＥの動作領域内にある、前記特定のＵＥの動作領域に地理的に近い動作領域内にある複数の近隣ＵＥのそれぞれについてアップリンク通信に使用されるタイムスロットを識別する手段と、
前記特定のＵＥによって測定された測定干渉レベルを使用して前記識別されたタイムスロットを分類する手段と、
各近隣ＵＥおよびタイムスロット分類について前記識別されたタイムスロットを使用して非干渉ＵＥおよび干渉ＵＥを判定する手段と
を含むことを特徴とする無線ネットワーク制御装置。
【請求項２６】
前記分類することは、小さい干渉のカテゴリと大きい干渉のカテゴリへの分類であることを特徴とする請求項２５に記載の無線ネットワーク制御装置。
【請求項２７】
前記非干渉ＵＥおよび干渉ＵＥを判定することは、前記小さい干渉のカテゴリのタイムスロットを非干渉として使用して前記近隣ＵＥを判定することを含むことを特徴とする請求項２６に記載の無線ネットワーク制御装置。
【請求項２８】
非干渉であるとみなされない他の前記近隣ＵＥは干渉ＵＥであるとみなされることを特徴とする請求項２７に記載の無線ネットワーク制御装置。
【請求項２９】
前記動作領域はセルであることを特徴とする請求項２５に記載の無線ネットワーク制御装置。
【請求項３０】
前記動作領域はセルのセクタであることを特徴とする請求項２５に記載の無線ネットワーク制御装置。
【請求項３１】
前記近隣ＵＥは、前記特定のＵＥの動作領域に隣接した動作領域のＵＥであることを特徴とする請求項２５に記載の無線ネットワーク制御装置。
【請求項３２】
前記分類することは、識別された各タイムスロットの干渉レベルを閾値と比較することによって実施されることを特徴とする請求項２５に記載の無線ネットワーク制御装置。
【請求項３３】
干渉ＵＥによって使用されるダウンリンクタイムスロットを可能な割り当てから消去する手段と、
前記特定のＵＥに前記消去されたタイムスロットを除くアップリンクタイムスロットを割り当てる手段と
をさらに含むことを特徴とする請求項２５に記載の無線ネットワーク制御装置。
【請求項３４】
ダウンリンク通信用に前記特定のＵＥに割り当てられるタイムスロットのうち、前記特定のＵＥで測定された測定干渉レベルが閾値を上回るものを消去する手段をさらに含むことを特徴とする請求項３３に記載の無線ネットワーク制御装置。